(57)【要約】【課題】一個のホールカバーで複数の異なる寸法の接続端子に対応し得るホールカバーを提供する。【解決手段】計器板２に設けた穴（スイッチホール）３を覆うように取り付けられると共に、計器板２内に配索されるケーブル６に備えた接続端子７を裏側に支持するホールカバー８に関し、穴３を覆う蓋体９の裏面９ａから突出するように、互いに平行な面をなし且つ互いに対向して配置される二つの端子支持壁と、該二つの端子支持壁の間にて該二つの端子支持壁と平行な面をなす端子支持壁を備える。【選択図】図１
2018179527.tif 000002
【特許請求の範囲】
【請求項１】
計器板に設けた穴を覆うように取り付けられると共に、前記計器板内に配索されるケーブルに備えた接続端子を裏側に支持するホールカバーであって、
前記穴を覆う蓋体の裏面から突出するように、互いに平行な面をなし且つ互いに対向して配置される二つの端子支持壁と、該二つの端子支持壁の間にて該二つの端子支持壁と平行な面をなす端子支持壁を備え、
前記互いに平行な面をなし且つ互いに対向して配置される二つの端子支持壁同士の間に接続端子を支持可能に構成され、且つ、
前記互いに平行な面をなし且つ互いに対向して配置される二つの端子支持壁のうちいずれかと、該二つの端子支持壁の間にて該二つの端子支持壁と平行な面をなす前記端子支持壁との間に接続端子を支持可能に構成されていることを特徴とするホールカバー。
【請求項２】
前記二つの端子支持壁の間にて該二つの端子支持壁と平行な面をなす前記端子支持壁は、接続端子の挿入方向に関し、前記互いに平行な面をなし且つ互いに対向して配置される二つの端子支持壁のうちいずれかの左右両外側に一対配置されることを特徴とする請求項１に記載のホールカバー。
【請求項３】
前記二つの端子支持壁の間にて該二つの端子支持壁と平行な面をなす端子支持壁は、接続端子の挿入方向に関し、前記互いに平行な面をなし且つ互いに対向して配置される二つの端子支持壁のうちいずれかの前側に配置されることを特徴とする請求項１に記載のホールカバー。
【請求項４】
前記二つの端子支持壁の間にて該二つの端子支持壁と平行な面をなす前記端子支持壁として、
接続端子の挿入方向に関し、前記互いに平行な面をなし且つ互いに対向して配置される二つの端子支持壁のうち一方の左右両外側に一対配置される端子支持壁と、
前記互いに平行な面をなし且つ互いに対向して配置される二つの端子支持壁のうち他方の前側に配置される端子支持壁と
を備えていることを特徴とする請求項１に記載のホールカバー。
【請求項５】
前記互いに平行な面をなし且つ互いに対向して配置される二つの端子支持壁の前側に配置される前記端子支持壁は、該端子支持壁と、前記互いに平行な面をなし且つ互いに対向して配置される二つの端子支持壁のうちいずれかとの間に接続端子の先端部を挟み込んで支持する支持リブを備えていることを特徴とする請求項３又は４のいずれかに記載のホールカバー。
【請求項６】
前記支持リブにおける前記接続端子の先端部との接触部に、該接続端子の先端部から圧力を受けて変形する潰しリブを備えていることを特徴とする請求項５に記載のホールカバー。
【請求項７】
前記互いに平行な面をなし且つ互いに対向して配置される二つの端子支持壁のいずれかに、接続端子の本体部の上面に備えた係止爪と係合する係止窓を備えていることを特徴とする請求項１〜６のいずれかに記載のホールカバー。
【発明の詳細な説明】
【技術分野】
【０００１】
本発明は、車両の計器板等に取り付けられるホールカバーに関する。
【背景技術】
【０００２】
一般に、車両等の計器板には、種々の計器や、各種の機器を操作するためのスイッチ等が備えられる。該スイッチは、前記計器板の表面に備えた穴（スイッチホール）に取り付けられ、前記計器板の内部には、前記機器に通じるケーブルが前記スイッチまで配索される。前記ケーブルは、各所に接続端子が装備されており、該接続端子を介して前記スイッチの裏側に接続される。
【０００３】
ここで、車両に搭載される機器の数や仕様、あるいは車両の仕様等によっては、計器板に備えたスイッチホールに対し、装備されるスイッチの数が少ない場合がある。その場合、使用されないスイッチホールについては、該スイッチホールからケーブル等が露出しないよう、ホールカバーを取り付けて覆うことができる。
【０００４】
図１０〜図１２はこうしたホールカバーの一例を示しており、ホールカバー１は、計器板２に開口した穴（スイッチホール）３を覆う蓋体４の裏面４ａに、ホールカバー１全体をスイッチホール３に対して固定するための固定部５を備えて構成される。蓋体４と固定部５とを備えたホールカバー１は、全体がプラスチック樹脂等により一体的に形成されている。
【０００５】
固定部５は、ホールカバー１の取付対象である方形のスイッチホール３の四辺に沿うように、蓋体４の裏面４ａに対し垂直な面をなして配置される四枚の固定板５ａ，５ｂ，５ｃ，５ｄを備えている。方形の各辺に沿って配置される該四枚の固定板のうち、固定板５ａと固定板５ｂの二枚が互いに平行な面をなして対向し、残る固定板５ｃと固定板５ｄの二枚は固定板５ａ，５ｂと直交する向きで互いに平行な面をなして対向している。各固定板５ａ，５ｂ，５ｃ，５ｄの外面には、蓋体４の裏面４ａに近い基端部から、蓋体４から離れた先端部にかけ、補強のためのリブ５ｅが適宜形成されている。
【０００６】
固定板５ａ，５ｂの外面の先端側には、該外面から突出する係止爪５ｆが設けられている。係止爪５ｆは、固定板５ａ，５ｂの外面において、先端から基端に向かって緩やかな斜辺をなして隆起し、該隆起の頂点５ｇを境に下降する形で形成されており、固定板５ａ，５ｂの先端から、該先端と基端部との中間部にかけて、全体として略鈍角三角形状の断面をなしている。
【０００７】
方形の四辺をなす固定板５ａ，５ｂ，５ｃ，５ｄのうち、係止爪５ｆを備えた固定板５ａ，５ｂの先端部は、他の固定板５ｃ，５ｄよりも先端側に突出しており、係止爪５ｆを備えた固定板５ａ，５ｂの先端部は、該固定板５ａ，５ｂのなす面と直交する方向に撓むことができるようになっている。
【０００８】
スイッチホール３の内周には、図１０に示す如く、計器板２の表面から所要深さの位置に段差部３ａが突出している。図１０中に実線の矢印で示す如く、ホールカバー１の固定部５をスイッチホール３に挿し込んでいくと、固定板５ａ，５ｂの外面に備えた係止爪５ｆが段差部３ａに当接し、固定板５ａ，５ｂは、段差部３ａに係止爪５ｆを押され、係止爪５ｆとは反対側の内側へ撓む。さらに固定部５をスイッチホール３に深く挿し込み、係止爪５ｆの頂点５ｇが段差部３ａを越えると、内側へ撓んでいた固定板５ａ，５ｂの撓みが戻り、係止爪５ｆが、スイッチホール３の段差部３ａより奥側にて該段差部３ａに対し係合する。こうして、ホールカバー１はスイッチホール３に対し固定される。
【０００９】
蓋体４の表面４ｂは、図１２に示す如く、ホールカバー１をスイッチホール３に取り付けた状態で、計器板２の表面において視覚的に違和感なく馴染むようデザインされ、ここに示した例では緩やかな曲面をなして計器板２の表面から僅かに突出するように形成される。
【００１０】
尚、この種のホールカバーに関連する先行技術文献としては、例えば、下記の特許文献１等がある。
【先行技術文献】
【特許文献】
【００１１】
【特許文献１】特開２００１−３４１５８２号公報
【発明の概要】
【発明が解決しようとする課題】
【００１２】
ところで、こうしたホールカバー１には、図１０に示す如く、計器板２の内部に配索されたケーブル６の接続端子７が支持される場合がある。ここに示した例では、図１０中に破線の矢印で示す如く、ホールカバー１の固定部５をなす四枚の固定板５ａ，５ｂ，５ｃ，５ｄの内側に接続端子７を挿し込んで支持し、計器板２の内部における接続端子７ないしケーブル６の配置を保つようにしている。
【００１３】
このようにホールカバー１に接続端子７を支持しようとする場合、例えば該接続端子７に図示しないテープを巻きつけ、固定板５ａ，５ｂ，５ｃ，５ｄのなす方形に対して適当な太さとした上で該固定板５ａ，５ｂ，５ｃ，５ｄに対して挿入し、前記テープと固定板５ａ，５ｂ，５ｃ，５ｄとの間の摩擦力によって接続端子７を固定板５ａ，５ｂ，５ｃ，５ｄに支持するといった措置が取られるが、このようにすると、接続端子７を固定するための作業に手間がかかり、面倒である。
【００１４】
また、接続端子７の形状に合わせ、該接続端子７を簡易に支持するような構造をホールカバー１に別途設けることも可能であるが、ケーブル６に設置される接続端子７としては、種々の寸法や形状を持った多様な製品が出回っている。これらの製品に合わせたホールカバー１を使用するには、各製品毎に適合するホールカバー１を用意しなくてはならない。その結果、製造に使用する金型への投資が増大してしまうほか、多様なホールカバー１を接続端子７の種類に対応させて管理する必要も生じてしまう。
【００１５】
本発明は、斯かる実情に鑑み、一個のホールカバーで複数の異なる寸法の接続端子に対応し得るホールカバーを提供しようとするものである。
【課題を解決するための手段】
【００１６】
本発明は、計器板に設けた穴を覆うように取り付けられると共に、前記計器板内に配索されるケーブルに備えた接続端子を裏側に支持するホールカバーであって、前記穴を覆う蓋体の裏面から突出するように、互いに平行な面をなし且つ互いに対向して配置される二つの端子支持壁と、該二つの端子支持壁の間にて該二つの端子支持壁と平行な面をなす端子支持壁を備え、前記互いに平行な面をなし且つ互いに対向して配置される二つの端子支持壁同士の間に接続端子を支持可能に構成され、且つ、前記互いに平行な面をなし且つ互いに対向して配置される二つの端子支持壁のうちいずれかと、該二つの端子支持壁の間にて該二つの端子支持壁と平行な面をなす前記端子支持壁との間に接続端子を支持可能に構成されていることを特徴とするホールカバーにかかるものである。
【００１７】
而して、このようにすれば、一個のホールカバーに備えた複数の端子支持壁同士の組み合わせにより、異なる接続端子の上下方向の寸法に対応できる。
【００１８】
本発明のホールカバーを具体的に実施するにあたり、前記二つの端子支持壁の間にて該二つの端子支持壁と平行な面をなす前記端子支持壁は、接続端子の挿入方向に関し、前記互いに平行な面をなし且つ互いに対向して配置される二つの端子支持壁のうちいずれかの左右両外側に一対配置することができる。
【００１９】
本発明のホールカバーを具体的に実施するにあたり、前記二つの端子支持壁の間にて該二つの端子支持壁と平行な面をなす端子支持壁は、接続端子の挿入方向に関し、前記互いに平行な面をなし且つ互いに対向して配置される二つの端子支持壁のうちいずれかの前側に配置することができる。
【００２０】
本発明のホールカバーを具体的に実施するにあたっては、前記二つの端子支持壁の間にて該二つの端子支持壁と平行な面をなす前記端子支持壁として、接続端子の挿入方向に関し、前記互いに平行な面をなし且つ互いに対向して配置される二つの端子支持壁のうち一方の左右両外側に一対配置される端子支持壁と、前記互いに平行な面をなし且つ互いに対向して配置される二つの端子支持壁のうち他方の前側に配置される端子支持壁とを備えることができる。
【００２１】
本発明のホールカバーを具体的に実施するにあたり、前記互いに平行な面をなし且つ互いに対向して配置される二つの端子支持壁の前側に配置される前記端子支持壁は、該端子支持壁と、前記互いに平行な面をなし且つ互いに対向して配置される二つの端子支持壁のうちいずれかとの間に接続端子の先端部を挟み込んで支持する支持リブを備えて構成することができる。
本発明のホールカバーを具体的に実施するにあたっては、前記支持リブにおける前記接続端子の先端部との接触部に、該接続端子の先端部から圧力を受けて変形する潰しリブ１１ｉを備えることができる。
【００２２】
本発明のホールカバーを具体的に実施するにあたっては、前記互いに平行な面をなし且つ互いに対向して配置される二つの端子支持壁のいずれかに、接続端子の本体部の上面に備えた係止爪と係合する係止窓を備えることができる。
【発明の効果】
【００２３】
本発明のホールカバーによれば、以下の如き種々の優れた効果を奏し得る。
【００２４】
（Ｉ）本発明の請求項１に記載の発明によれば、一個のホールカバーで複数の異なる寸法の接続端子に対応することができる。
【００２５】
（ＩＩ）本発明の請求項２〜４に記載の発明によれば、接続端子を前記互いに平行な面をなし且つ互いに対向して配置される二つの端子支持壁の間に支持するにあたり、該二つの端子支持壁の間にて該二つの端子支持壁と平行な面をなす前記端子支持壁が妨げになることがなく、前記互いに平行な面をなし且つ互いに対向して配置される二つの端子支持壁の間に接続端子を支障なく支持することができる。
【００２６】
（ＩＩＩ）本発明の請求項５、６に記載の発明によれば、接続端子の先端部を、前記互いに平行な面をなし且つ互いに対向して配置される二つの端子支持壁の前側に配置される前記端子支持壁により好適に支持できる。
【００２７】
（ＩＶ）本発明の請求項７に記載の発明によれば、接続端子に備えた係止爪を、前記互いに平行な面をなし且つ互いに対向して配置される二つの端子支持壁のいずれかにより好適に支持できる。
【図面の簡単な説明】
【００２８】
【図１】本発明の実施例によるホールカバーの形態を示す斜視図である。
【図２】図１のホールカバーを別の角度から見た斜視図である。
【図３】本実施例のホールカバーの背面図であり、図２のＩＩＩ−ＩＩＩ矢視相当図である。
【図４】接続端子の形態の一例を示す斜視図である。
【図５】図４の接続端子を本実施例のホールカバーに支持した状態を示す断面図である。
【図６】接続端子の形態の別の一例を示す斜視図である。
【図７】図６の接続端子を本実施例のホールカバーに支持した状態を示す断面図である。
【図８】接続端子の形態のさらに別の一例を示す斜視図である。
【図９】図８の接続端子を本実施例のホールカバーに支持した状態を示す断面図である。
【図１０】従来のホールカバーの形態の一例を示す斜視図である。
【図１１】図１０のホールカバーを別の角度から見た斜視図である。
【図１２】図１０のホールカバーをスイッチホールに取り付けた状態を示す斜視図である。
【発明を実施するための形態】
【００２９】
以下、本発明の実施の形態を添付図面を参照して説明する。
【００３０】
図１〜図３は本発明の実施によるホールカバーの形態の一例を示している。図中、図１０〜図１２と同一の符号を付した部分は同一物を表しており、基本的な構成は図１０〜図１２に示す従来例と同様である。
【００３１】
本実施例のホールカバー８は、計器板２に開口した穴（スイッチホール）３を覆う蓋体９の裏面９ａに、蓋体９をスイッチホール３に対して固定するための固定部１０を備えて構成される点は上記従来例（図１０〜図１２参照）と同様であるが、本実施例の場合、これに加え、計器板２内に配索されるケーブル６に備えた接続端子７を裏側に支持するための端子支持部１１を備えた点を特徴としている。
【００３２】
固定部１０は、方形のスイッチホール３の四辺に沿うように、蓋体９の裏面９ａに対し垂直な面をなして配置される四枚の固定板１０ａ，１０ｂ，１０ｃ，１０ｄを備えている。方形の各辺に沿って配置される該四枚の固定板のうち、第一の固定板１０ａと第二の固定板１０ｂの二枚が互いに平行な面をなして対向し、残る第三の固定板１０ｃと第四の固定板１０ｄの二枚は第一及び第二の固定板１０ａ，１０ｂと直交する向きで互いに平行な面をなして対向している。各固定板１０ａ，１０ｂ，１０ｃ，１０ｄの外面には、蓋体９の裏面９ａに近い基端部から、蓋体９から離れた先端部にかけ、補強のためのリブ１０ｅが適宜形成される。
【００３３】
第一及び第二の固定板１０ａ，１０ｂの外面の先端側には、該外面から突出する係止爪１０ｆが設けられている。係止爪１０ｆは、固定板１０ａ，１０ｂの外面において、先端から基端に向かって緩やかな斜辺をなして隆起し、該隆起の頂点１０ｇを境に下降する形で形成されており、固定板１０ａ，１０ｂの先端から、該先端と基端との中間部にかけて、全体として略鈍角三角形状の断面をなしている。
【００３４】
固定板１０ａ，１０ｂ，１０ｃ，１０ｄのうち、係止爪１０ｆを備えた固定板１０ａ，１０ｂの先端部は、他の固定板１０ｃ，１０ｄよりも先端側に突出しており、第一及び第二の固定板１０ａ，１０ｂの先端部は、該固定板１０ａ，１０ｂのなす面と直交する方向に撓むことができるようになっている。図１中に実線の矢印で示す如く、固定部１０をスイッチホール３に挿し込んでいくと、係止爪１０ｆが段差部３ａに当接して固定板１０ａ，１０ｂが内側へ撓み、係止爪１０ｆの頂点１０ｇが段差部３ａを越えると、固定板１０ａ，１０ｂの撓みが戻って係止爪１０ｆが段差部３ａに対し係合する。
【００３５】
そして、本実施例の場合、互いに対向する第三及び第四の固定板１０ｃ，１０ｄの間に、接続端子７を支持するための端子支持部１１を備えている。
【００３６】
端子支持部１１は、図２、図３に示す如く、第三の固定板１０ｃと第四の固定板１０ｄとの間に、該第三及び第四の固定板１０ｃ，１０ｄに沿った面をなす第一の端子支持壁１１ａ、及び第二の端子支持壁１１ｂを備えて構成されており、図１中に破線の矢印にて示すように、第一の端子支持壁１１ａ又は第二の端子支持壁１１ｂと、第三の固定板１０ｃとの間（図２、図３参照）に接続端子７を挿入し、支持することができるようになっている。
【００３７】
図１、図２に示す如く、第三の固定板１０ｃには、該第三の固定板１０ｃを貫通するように係止窓１１ｃが設けられており、接続端子７の本体部７ａの上面７ｂに備えた係止爪７ｃが係止窓１１ｃと係止することで、接続端子７を第一の端子支持壁１１ａ又は第二の端子支持壁１１ｂと、第三の固定板１０ｃとの間の所定位置に支持することができる（尚、接続端子７の寸法によっては、接続端子７を端子支持部１１に支持する際、係止窓１１ｃを用いない場合もある。詳細については後述する）。
【００３８】
尚、以下では便宜上、接続端子７に関し、係止爪７ｃを備えた側を上方、接続端子７を端子支持部１１に対し挿入する向きを前方として説明する。また、ホールカバー８についても接続端子７に関する上記の方向を基準とし、接続端子７から見て第三の固定板１０ｃ側を上方、第四の固定板１０ｄ側を下方、第一の固定板１０ａ側を右方、第二の固定板１０ｂ側を左方、さらに前方と反対の向きを後方として説明する。
【００３９】
図２、図３に示す如く、第二の端子支持壁１１ｂは、互いに平行な面をなし且つ互いに対向して配置される第一の端子支持壁１１ａと第三の固定板１０ｃの間に位置しており、第二の端子支持壁１１ｂのなす面は、第一の端子支持壁１１ａ及び第三の固定板１０ｃに平行である。また、一対の第二の端子支持壁１１ｂは、接続端子７の挿入方向に関し、第一の端子支持壁１１ａの左右（第一の端子支持壁１１ａに沿い且つ接続端子７の挿入方向に直交する方向）両外側に配置される。第一の端子支持壁１１ａの左右方向外側と、一対の第二の端子支持壁１１ｂの左右方向内側との間は、第一の端子支持壁１１ａ及び第二の端子支持壁１１ｂに直交し且つ前後方向に沿った面をなす一対の補強壁１１ｄにより連結され、これにより、第一の端子支持壁１１ａ及び第二の端子支持壁１１ｂに関し必要な剛性が保たれるようになっている。
【００４０】
第三の固定板１０ｃには、上述の如く係止窓１１ｃが備えられており、ここに接続端子７の係止爪７ｃが係止されるようになっている。すなわち、第三の固定板１０ｃは、固定部１０の一部を構成するほか、第三の端子支持壁として端子支持部１１の一部をも構成している。
【００４１】
さらに、第三の端子支持壁（第三の固定板）１０ｃと第二の端子支持壁１１ｂの間には、該第三の端子支持壁１０ｃと第二の端子支持壁１１ｂに沿った面をなす第四の端子支持壁１１ｅが備えられている。第四の端子支持壁１１ｅのなす面は、第一、第二及び第三の端子支持壁１１ａ，１１ｂ，１０ｃに平行である。第四の端子支持壁１１ｅは、前後方向（接続端子７の挿入方向に沿った向き）に関し、第三の端子支持壁１０ｃの先端側にまで延在してはおらず、第四の端子支持壁１１ｅが設置されている範囲は、前後方向に関して第三の端子支持壁１０ｃの前側、すなわち第三の端子支持壁１０ｃの基端部にあたる蓋体９の裏面９ａ付近に限られている。つまり、第四の端子支持壁１１ｅは、接続端子７にとっては最前方側の奥まった位置に設けられている。
【００４２】
第三の端子支持壁１０ｃと第四の端子支持壁１１ｅの間には、該第三の端子支持壁１０ｃ及び第四の端子支持壁１１ｅに直交し且つ前後方向に沿った面をなす一対の補強壁１１ｆが設けられており、該補強壁１１ｆによって第四の端子支持壁１１ｅが第三の端子支持壁１０ｃに対し連結されることで、第四の端子支持壁１１ｅに関し必要な剛性が保たれるようになっている。
【００４３】
また、第四の端子支持壁１１ｅの第一の端子支持壁１１ａ及び第二の端子支持壁１１ｂに対向する面（つまり、補強壁１１ｆにより第三の端子支持壁１０ｃと連結される面とは反対側の面）には、第一の端子支持壁１１ａ及び第二の端子支持壁１１ｂ側へ突出する支持リブ１１ｇが備えられている。本実施例では、第四の端子支持壁１１ｅに三本の支持リブ１１ｇが設けられており、各支持リブ１１ｇは、第四の端子支持壁１１ｅに沿って前後方向に延びるように配置される。
支持リブ１１ｇは、図３に示す如く、第四の端子支持壁１１ｅと同じ素材により該第四の端子支持壁１１ｅと一体的に形成された調整リブ１１ｈの先端部（第一の端子支持壁１１ａ及び第二の端子支持壁１１ｂ側の端部）に、該調整リブ１１ｈより柔らかい樹脂で構成された潰しリブ１１ｉを備えている。調整リブ１１ｈは、第四の端子支持壁１１ｅと第一の端子支持壁１１ａ又は第二の端子支持壁１１ｂの間に接続端子７を支持するにあたり、潰しリブ１１ｉと第一の端子支持壁１１ａ又は第二の端子支持壁１１ｂの間の距離を接続端子７の先端部に対し好適に保つための構造である。調整リブ１１ｈの第四の端子支持壁１１ｅからの高さは、支持対象である接続端子７の寸法に応じて適宜調整すれば良い。第四の端子支持壁１１ｅと第一の端子支持壁１１ａ又は第二の端子支持壁１１ｂの間の距離によっては、調整リブ１１ｈを設けず、第四の端子支持壁１１ｅから潰しリブ１１ｉが直接突出する形で支持リブ１１ｇを備えても良い。
【００４４】
蓋体９の表面９ｂは、ホールカバー８をスイッチホール３に取り付けた状態で、緩やかな曲面をなして計器板２の表面から僅かに突出するように形成されている（図１２参照）。
【００４５】
以上のように、本実施例のホールカバー８は、蓋体９の裏面から突出するように、第一〜第四の固定板１０ａ，１０ｂ，１０ｃ，１０ｄ、及び第一〜第四の端子支持壁１１ａ，１１ｂ，１０ｃ，１１ｅを備えており、蓋体９及び固定部１０、端子支持部１１は、全体がプラスチック樹脂により一体的に形成されている。尚、本実施例では、固定部１０を構成する第三の固定板１０ｃが端子支持部１１の一部（第三の端子支持壁）をも構成しているが、スイッチホール３の寸法その他の条件によっては、例えば第四の固定板１０ｄが第一の端子支持壁１１ａの機能をも兼ねるよう構成することもできるし、あるいは、第三の固定板１０ｃとは別に第三の端子支持壁を設けるようにしても良い。後述する種々の接続端子７の支持を好適に行える限りにおいて、固定部１０及び端子支持部１１としては相互に種々の構成を採用し得る。
【００４６】
以下、各種の接続端子７を本実施例のホールカバー８に支持する場合について説明する。
【００４７】
図４は上述のホールカバー８（図１〜図３参照）に支持される接続端子７の一例を示している。略直方体状をなす本体部７ａの上面７ｂに沿って板状の係止爪７ｃが設けられており、該係止爪７ｃは、樹脂で構成される本体部７ａの外郭と一体的に形成される樹脂製の部材である。係止爪７ｃは一端にて本体部７ａの先端側と一体的に接続し、本体部７ａの基端側に位置する他端が本体部７ａから浮いた状態で支持される。こうして、図４中に矢印にて示す如く、係止爪７ｃを本体部７ａに対し上下方向に撓むようになっている。
【００４８】
本実施例のホールカバー８（図１〜図３参照）は、図４に示すタイプの接続端子７を、図５に示す如く、第一の端子支持壁１１ａと第三の端子支持壁１０ｃの間に支持するようになっている。
【００４９】
すなわち、本実施例のホールカバー８では、第一の端子支持壁１１ａと第三の端子支持壁１０ｃの間の距離を、図４に示す接続端子７の本体部７ａの上下方向の寸法以上に設定しているので、図５に示す如く、接続端子７を、本体部７ａの上面７ｂが第三の端子支持壁１０ｃに対向する向きでホールカバー８の端子支持部１１に対し挿入することができる。図１中に破線の矢印で示す如く、接続端子７を端子支持部１１に挿し込んでいくと、係止爪７ｃが第三の端子支持壁１０ｃに当接して本体部７ａ側へ撓み、係止爪７ｃの本体部７ａにおける基端部側の端部が係止窓１１ｃの位置に達すると、係止爪７ｃの撓みが戻り、該係止爪７ｃが係止窓１１ｃに対し係合する。また、撓んだ係止爪７ｃが本体部７ａから離間しようとすることで生じる反発力により、本体部７ａの下面７ｄが第一の端子支持壁１１ａに押し付けられる。こうして、図４に示す接続端子７は、図５に示す如く、ホールカバー８の端子支持部１１に支持される。
【００５０】
接続端子７を取り外す際には、係止窓１１ｃの上方から係止爪７ｃを本体部７ａに向かって押し付けるように撓ませれば、係止爪７ｃの係止窓１１ｃに対する係合が解除されるので、この状態で接続端子７を端子支持部１１から引き抜けば良い。
【００５１】
図６は接続端子７の別の一例を示している。図６に示す接続端子７は、図４に示す接続端子７と比較して本体部７ａの上下方向の寸法が小さく、且つ左右方向の寸法が大きい。
【００５２】
図６に示す接続端子７の場合、図７に示す如く、本実施例のホールカバー８に対し、第二の端子支持壁１１ｂと第三の端子支持壁１０ｃの間に支持される。
【００５３】
すなわち、図６に示す接続端子７は、本体部７ａの上下方向の寸法が小さいため、図４に示す接続端子７と同じように第一の端子支持壁１１ａと第三の端子支持壁１０ｃとの間に支持することはできない（図５参照）。その代わり、図６に示す接続端子７は、本体部７ａの左右方向の寸法が大きいため、第一の端子支持壁１１ａの左右両側に備えた第二の端子支持壁１１ｂにより本体部７ａの左右両端部を支持することができる。そして、第二の端子支持壁１１ｂと第三の端子支持壁１０ｃとの間の距離は、第一の端子支持壁１１ａと第三の端子支持壁１０ｃとの間の距離より小さいので、第二の端子支持壁１１ｂに本体部７ａの下面７ｄの左右端部を接することで、第三の端子支持壁１０ｃの係止窓１１ｃに係合した係止爪７ｃの反発力により、図７に示す接続端子７をホールカバー８の端子支持部１１に支持することができるのである。
【００５４】
接続端子７を取り外す際には、係止窓１１ｃの上方から係止爪７ｃを本体部７ａに向かって押し付けるように撓ませ、接続端子７を端子支持部１１から引き抜けば良い。
【００５５】
図８は接続端子７のさらに別の一例を示している。図８に示す接続端子７は、図４に示す接続端子７と比較して本体部７ａの上下方向の寸法が小さい。本体部７ａの左右方向の寸法に関しては、図４に示す接続端子７と同じである。
【００５６】
図８に示す接続端子７の場合、図９に示す如く、本実施例のホールカバー８に対し、第一の端子支持壁１１ａと第四の端子支持壁１１ｅの間に支持される。
【００５７】
すなわち、図８に示す接続端子７は、本体部７ａの上下方向の寸法が小さいため、図４に示す接続端子７と同じように第一の端子支持壁１１ａと第三の端子支持壁１０ｃとの間に支持することはできない（図５参照）。しかも、本体部７ａの左右方向の寸法は図４に示す接続端子７と同じであり、図６に示す接続端子７より小さいため、図６に示す接続端子７と同じように第二の端子支持壁１１ｂと第三の端子支持壁１０ｃとの間に支持することもできない（図７参照）。
【００５８】
そこで、本実施例のホールカバー８の場合、第三の端子支持壁１０ｃよりも第一の端子支持壁１１ａ寄りの位置に第四の端子支持壁１１ｅを備えており、図８に示す接続端子７の本体部７ａの先端部を、第一の端子支持壁１１ａと第四の端子支持壁１１ｅとの間に支持できるようになっている。
【００５９】
本実施例のホールカバー８では、互いに対向する第一の端子支持壁１１ａと第四の端子支持壁１１ｅの間の距離を、図８に示す接続端子７の先端部における本体部７ａの下面７ｄから係止爪７ｃの上面までの距離以上に設定しており、図８に示す接続端子７の先端部を第一の端子支持壁１１ａと第四の端子支持壁１１ｅの間に挿入することができる。一方で、第一の端子支持壁１１ａと、第四の端子支持壁１１ｅの支持リブ１１ｇに備えた潰しリブ１１ｉとの間の距離は、図８に示す接続端子７の先端部の下面７ｄから係止爪７ｃの上面までの距離未満となっている。したがって、接続端子７の本体部７ａを第一の端子支持壁１１ａと第四の端子支持壁１１ｅの間に挿入すると、第一の端子支持壁１１ａは本体部７ａの下面７ｄに接する一方、支持リブ１１ｇでは、接続端子７の先端部との接触部にあたる位置に備えた潰しリブ１１ｉが接続端子７の先端部から圧力を受けて上下方向に潰れるように変形しつつ係止爪７ｃ先端の上面に接する。こうして、第一の端子支持壁１１ａと本体部７ａの下面７ｄの間、及び潰しリブ１１ｉと係止爪７ｃの上面の間に生じる摩擦力により、接続端子７がホールカバー８の端子支持部１１に支持される。
【００６０】
接続端子７を取り外す際には、単に本体部７ａを支持して端子支持部１１から引き抜けば良い。
【００６１】
このように、本実施例のホールカバー８は、端子支持部１１として、接続端子７の本体部７ａの下面７ｄに接する二つの面（第一の端子支持壁１１ａ及び第二の端子支持壁１１ｂ）を備える一方、本体部７ａの上面７ｂ側を支持する二つの面（第三の端子支持壁１０ｃ及び第四の端子支持壁１１ｅ）を備え、これら複数の端子支持壁（第一の端子支持壁１１ａ又は第二の端子支持壁１１ｂ、及び、第三の端子支持壁１０ｃ又は第四の端子支持壁１１ｅ）の組み合わせにより、一個のホールカバー８で異なる接続端子７の支持に対応できるようになっている。すなわち、上では第一の端子支持壁１１ａと第三の端子支持壁１０ｃ（図５参照）、第二の端子支持壁１１ｂと第三の端子支持壁１０ｃ（図７参照）、第一の端子支持壁１１ａと第四の端子支持壁１１ｅ（図９参照）の三通りの組み合わせを説明したが、これに第二の端子支持壁１１ｂと第四の端子支持壁１１ｅの組み合わせを加え、理論上、接続端子７の本体部７ａに関し、四通りの上下方向の寸法に対応することが可能である。
【００６２】
ここで、第二の端子支持壁１１ｂは、上下方向に関しては第一の端子支持壁１１ａと第三、第四の端子支持壁１０ｃ，１１ｅの間に位置しているが、左右方向の位置は第一の端子支持壁１１ａから左右にずれているため、例えば図４や図８に示す如き接続端子７を第一の端子支持壁１１ａと第三又は第四の端子支持壁１０ｃ，１１ｅの間に支持するにあたり、第二の端子支持壁１１ｂが妨げになることはない（図５、図９参照）。一方、第四の端子支持壁１１ｅについても、上下方向に関しては第一、第二の端子支持壁１１ａ，１１ｂと第三の端子支持壁１０ｃの間に位置しているが、第四の端子支持壁１１ｅは端子支持部１１において蓋体９付近の奥まった位置に配されているため、例えば図４や図６に示す接続端子７を第一又は第二の端子支持壁１１ｂと第三の端子支持壁１０ｃとの間に支持するにあたり、第四の端子支持壁１１ｅが妨げになることはない（図５、図７参照）。
【００６３】
すなわち、本実施例のホールカバー８では、端子支持部１１に互いに平行な四つの端子支持壁を備えているが、これらの端子支持壁１１ａ，１１ｂ，１０ｃ，１１ｅのうち、上下方向両端に位置する第一の端子支持壁１１ａ及び第三の端子支持壁１０ｃに対し、該第一の端子支持壁１１ａと第三の端子支持壁１０ｃの間に位置する第二の端子支持壁１１ｂと第四の端子支持壁１１ｅについては、第一の端子支持壁１１ａと第三の端子支持壁１０ｃに対して左右又は前後にずらして配置している。こうすることで、第一の端子支持壁１１ａや第三の端子支持壁１０ｃを接続端子７の支持に利用するにあたり、第二の端子支持壁１１ｂや第四の端子支持壁１１ｅが妨げにならないようにしているのである。
【００６４】
また、接続端子７の本体部７ａのうち係止爪７ｃを備えた上面７ｂ側を支持する第三、第四の端子支持壁１０ｃ，１１ｅにおいては、本体部７ａを支持する仕組みを互いに異ならしめることで、第三の端子支持壁１０ｃ又は第四の端子支持壁１１ｅのいずれによっても、支障なく接続端子７を支持することができるようになっている。つまり、第三の端子支持壁１０ｃでは、係止窓１１ｃにより係止爪７ｃを係止する仕組みを採用しているが、該係止爪７ｃは接続端子７の本体部７ａに対し基端部側にて撓むように配置されるため、第三の端子支持壁１０ｃよりも奥まった位置にある第四の端子支持壁１１ｅでは、係止窓１１ｃのような仕組みを設けることは難しい。そこで、第四の端子支持壁１１ｅには、係止窓の代わりに、第一の端子支持壁１１ａとの間に接続端子７の先端部を挟み込むことで支持する支持リブ１１ｇを採用することで、接続端子７を好適に支持できるようになっているのである。
【００６５】
このように、本実施例では、一種類のホールカバー８により、複数の接続端子７を端子支持部１１に簡易に支持することができるので、多様な接続端子７の寸法に合わせてホールカバーを個別に用意するような必要がなく、ホールカバーの製造に使用する金型への投資は最小限で済み、多様なホールカバーを接続端子７の種類に対応させて管理する必要もない。また、接続端子７側にテープ等を巻きつけてホールカバーに挿入するような手間も生じない。
【００６６】
尚、本発明を実施するにあたり、支持対象とする接続端子７の種類数等によっては、端子支持部１１に関し、必ずしも第一〜第四の端子支持壁１１ａ，１１ｂ，１０ｃ，１１ｅの全てを設ける必要はない。第一及び第二の端子支持壁１１ａ，１１ｂの他に、第三の端子支持壁１０ｃ又は第四の端子支持壁１１ｅのうち一方のみを備えても良いし、また、第三及び第四の端子支持壁１０ｃ，１１ｅの他に、第一の端子支持壁１１ａ又は第二の端子支持壁１１ｂのうち一方のみを備えても良い。例えば、計器板２の内部に配索されたケーブル６（図１参照）に、図４に示す接続端子７と、図６に示す接続端子７の二種類のみが装備される場合には、端子支持壁としては第一、第二、第三の端子支持壁１１ａ，１１ｂ，１０ｃを備えていれば十分である。また、図４に示す接続端子７と、図８に示す接続端子７の二種類のみが装備される場合には、端子支持壁としては第一、第三、第四の端子支持壁１１ａ，１０ｃ，１１ｅを備えていれば十分である。この他、実際に採用する端子支持壁の組み合わせは、接続端子７の種類に合わせて適宜選択し得る。
【００６７】
また、本実施例では接続端子７を支持するための構造として、係止窓１１ｃを第三の端子支持壁１０ｃに、支持リブ１１ｇを第四の端子支持壁１１ｅに各々備えた場合を例示したが、本発明の構成はこれに限定されない。例えば、第三の端子支持壁１０ｃに係止窓１１ｃの代わりに支持リブを備えることも可能であるし、また、係止窓や支持リブを第一の端子支持壁１１ａや第二の端子支持壁１１ｂ側に設けることもできる。あるいは、接続端子７の本体部７ａと係合する係止爪のような構造を端子支持部１１側に備えるといったことも可能である。その他、接続端子７を好適に支持し得る限りにおいて、他にも種々の構成を採用し得る。
【００６８】
以上のように、上記本実施例においては、計器板２に設けた穴（スイッチホール）３を覆うように取り付けられると共に、計器板２内に配索されるケーブル６に備えた接続端子７を裏側に支持するホールカバー８に関し、穴３を覆う蓋体９の裏面９ａから突出するように、互いに平行な面をなし且つ互いに対向して配置される二つの端子支持壁（第一及び第三の端子支持壁１１ａ，１０ｃ、又は第一及び第四の端子支持壁１１ａ，１１ｅ、又は第二及び第三の端子支持壁１１ｂ，１０ｃ）と、該二つの端子支持壁の間にて該二つの端子支持壁と平行な面をなす端子支持壁（第二の端子支持壁１１ｂ又は第四の端子支持壁１１ｅ）を備え、前記互いに平行な面をなし且つ互いに対向して配置される二つの端子支持壁同士の間に接続端子７を支持可能に構成され、且つ、前記互いに平行な面をなし且つ互いに対向して配置される二つの端子支持壁のうちいずれかと、該二つの端子支持壁の間にて該二つの端子支持壁と平行な面をなす端子支持壁との間に接続端子７を支持可能に構成しているので、一個のホールカバー８に備えた複数の端子支持壁１１ａ，１１ｂ，１０ｃ，１１ｅ同士の組み合わせにより、異なる接続端子７の上下方向の寸法に対応できる。
【００６９】
また、本実施例においては、前記二つの端子支持壁（第一及び第三の端子支持壁１１ａ，１０ｃ）の間にて該二つの端子支持壁と平行な面をなす前記端子支持壁として、接続端子７の挿入方向に関し、前記互いに平行な面をなし且つ互いに対向して配置される二つの端子支持壁のうち一方（第一の端子支持壁１１ａ）の左右両外側に一対配置される端子支持壁（第二の端子支持壁１１ｂ）と、前記互いに平行な面をなし且つ互いに対向して配置される二つの端子支持壁のうち他方（第三の端子支持壁１０ｃ）の前側に配置される端子支持壁（第四の端子支持壁１１ｅ）とを備えているので、接続端子７を前記互いに平行な面をなし且つ互いに対向して配置される二つの端子支持壁（第一及び第三の端子支持壁１１ａ，１０ｃ）の間に支持するにあたり、該二つの端子支持壁の間にて該二つの端子支持壁と平行な面をなす前記端子支持壁（第二及び第四の端子支持壁１１ｂ，１１ｅ）が妨げになることがなく、前記互いに平行な面をなし且つ互いに対向して配置される二つの端子支持壁（第一及び第三の端子支持壁１１ａ，１０ｃ）の間に接続端子７を支障なく支持することができる。
【００７０】
また、本実施例において、前記互いに平行な面をなし且つ互いに対向して配置される二つの端子支持壁の前側に配置される前記端子支持壁（第四の端子支持壁１１ｅ）は、該端子支持壁１１ｅと、前記互いに平行な面をなし且つ互いに対向して配置される二つの端子支持壁のうちいずれか（第一の端子支持壁１１ａ）との間に接続端子７の先端部を挟み込んで支持する支持リブ１１ｇを備えているので、接続端子７の先端部を、前記互いに平行な面をなし且つ互いに対向して配置される二つの端子支持壁の前側に配置される前記端子支持壁（第四の端子支持壁１１ｅ）により好適に支持できる。
また、本実施例においては、支持リブ１１ｇにおける接続端子７の先端部との接触部に、該接続端子７の先端部から圧力を受けて変形する潰しリブ１１ｉを備えているので、接続端子７の先端部を、前記互いに平行な面をなし且つ互いに対向して配置される二つの端子支持壁の前側に配置される前記端子支持壁（第四の端子支持壁１１ｅ）により一層好適に支持できる。
【００７１】
また、本実施例においては、前記互いに平行な面をなし且つ互いに対向して配置される二つの端子支持壁のいずれか（第三の端子支持壁１０ｃ）に、接続端子７の本体部７ａの上面７ｂに備えた係止爪７ｃと係合する係止窓１１ｃを備えているので、接続端子７に備えた係止爪７ｃを、前記互いに平行な面をなし且つ互いに対向して配置される二つの端子支持壁のいずれか（第三の端子支持壁１０ｃ）により好適に支持できる。
【００７２】
したがって、上記本実施例によれば、一個のホールカバーで複数の異なる寸法の接続端子に対応し得る。
【００７３】
尚、本発明のホールカバーは、上述の実施例にのみ限定されるものではなく、本発明の要旨を逸脱しない範囲内において種々変更を加え得ることは勿論である。
【符号の説明】
【００７４】
２    計器板
３    穴（スイッチホール）
６    ケーブル
７    接続端子
７ａ  本体部
７ｂ  上面
７ｃ  係止爪
８    ホールカバー
９    蓋体
９ａ  裏面
１０ｃ  端子支持壁（第三の端子支持壁）
１１ａ  端子支持壁（第一の端子支持壁）
１１ｂ  端子支持壁（第二の端子支持壁）
１１ｃ  係止窓
１１ｅ  端子支持壁（第四の端子支持壁）
１１ｇ  支持リブ
１１ｉ  潰しリブ
【図１】
2018179527.tif 000003
【図２】
2018179527.tif 000004
【図３】
2018179527.tif 000005
【図４】
2018179527.tif 000006
【図５】
2018179527.tif 000007
【図６】
2018179527.tif 000008
【図７】
2018179527.tif 000009
【図８】
2018179527.tif 000010
【図９】
2018179527.tif 000011
【図１０】
2018179527.tif 000012
【図１１】
2018179527.tif 000013
【図１２】
2018179527.tif 000014